(57)【要約】【課題】  ＲＦＩＤが付設された用紙などからなる基材のＲＦＩＤに読書きするＦＲＩＤの録再方法を提供する。  【解決手段】  録再手段４１から見て、複数の基材２１、２２、２３、２４に付設されたＲＦＩＤ３１、３２、３３、３４の少なくとも一部が覗き見られるように各基材を重ねてなる束１０を用い、前記録再手段４１から発せられた電磁波５１を各基材のＲＦＩＤ近傍を順次移動させることにより、各基材のＲＦＩＤを読書きする。【選択図】      図１
2005352856.tif 000002
【特許請求の範囲】
【請求項１】
端部にＲＦＩＤが付設された平板状で可撓性を有する基材を、前記端部が揃うように複数枚積み重ねてなる束とし、該束を構成する各基材のそれぞれのＲＦＩＤに対して個別に１つの録再手段を用いて情報の記録と再生を行うＲＦＩＤの録再方法であって、
前記録再手段から見て、前記複数の基材に付設されたＲＦＩＤの少なくとも一部が覗き見られるように各基材を重ねてなる束を用い、前記録再手段から発せられた電磁波を各基材のＲＦＩＤ近傍を順次移動させることにより、各基材のＲＦＩＤに対して情報の記録と再生を順次行うことを特徴とするＲＦＩＤの録再方法。
【請求項２】
前記録再手段から発せられた電磁波を順次移動させる際に、前記束に対して前記録再手段を動かすことを特徴とする請求項１に記載のＲＦＩＤの録再方法。
【請求項３】
前記録再手段から発せられた電磁波を順次移動させる際に、前記録再手段に対して前記束を動かすことを特徴とする請求項１に記載のＲＦＩＤの録再方法。
【請求項４】
前記束を構成する各基材に付設されたＲＦＩＤを、前記録再手段が覗き見る角度を変えて、前記情報の記録と再生を繰り返し行うことを特徴とする請求項１に記載のＲＦＩＤの録再方法。
【発明の詳細な説明】
【技術分野】
【０００１】
本発明は、ＲＦＩＤが付設された用紙などからなる基材のＲＦＩＤに対して読書きを行うＲＦＩＤの録再方法に関する。
【背景技術】
【０００２】
企業や官公庁において、日々、沢山の書類が作成されており、これらの書類の管理に多大な労力を要すことから、正確且つ容易に管理する方法として、ＲＦＩＤ（Radio Frequency Identification）を用いた管理方法が提案されている（例えば、特許文献１参照）。
【０００３】
図４は、従来のＲＦＩＤを用いた書類の管理方法の一例を示す斜視図である。多くの書類４４１がとじられた複数のバインダー４４２の背表紙にＲＦＩＤ４４３が貼付されていて、このＲＦＩＤ４４３に、どのような書類がファイルされているかが記録されている。ＲＦＩＤはリーダを所定距離まで近づけると、ダンボール等の箱４４４の中に入っていても、非接触で読取ることができるので、バインダー４４２を箱４４４から取り出さなくても、箱４４４の中にどのような書類が入っているかが簡便に判る。
また、図５に示すように、重要書類５５１には1枚毎にＲＦＩＤ５５２が貼付されていて、付加情報が記録されると共に、ＲＦＩＤ５５２の読取機能を備えたコピー機で複写しようとした際に、ＲＦＩＤ５５２が検知されて、いつ複写されたが記録されるようになっている。
【特許文献１】特開２０００−２７２７２３号公報
【発明の開示】
【発明が解決しようとする課題】
【０００４】
しかしながら、ＲＦＩＤが貼付された重要書類等の薄型基材がバインダー等に綴じられていた場合、録再手段の読書き範囲で他のＲＦＩＤが重なる数が多くなると、電磁波のエネルギーと指向性から、個々のＲＦＩＤの読書きができなくなるため、１枚毎バインダーから書類を取り出して読書きしなければならなくなり、書類の枚数が多いと、非常な労力を要するという問題がある。
そこで、本発明は、ＲＦＩＤが付設された書類等を１枚毎取り出さなくても、バインダーから取り出した束のままで簡便に効率よく、書類1枚毎に付設されたＲＦＩＤを読み書きできる方法を提供する。
【課題を解決するための手段】
【０００５】
かかる課題を解決するために、本発明に係るＲＦＩＤの録再方法は、端部にＲＦＩＤが付設された平板状で可撓性を有する基材を、前記端部が揃うように複数枚積み重ねてなる束とし、該束を構成する各基材のそれぞれのＲＦＩＤに対して個別に１つの録再手段を用いて情報の記録と再生を行うＲＦＩＤの録再方法であって、前記録再手段から見て、前記複数の基材に付設されたＲＦＩＤの少なくとも一部が覗き見られるように各基材を重ねてなる束を用い、前記録再手段から発せられた電磁波を各基材のＲＦＩＤ近傍を順次移動させることにより、各基材のＲＦＩＤに対して情報の記録と再生を順次行うことを特徴としている。
かかる構成によれば、各基材からＲＦＩＤの少なくとも一部が覗き見られるように束が形成されているので、１つの録再手段を個々のＲＦＩＤの近傍へ順次移動させることによって、各基材に付設されたＲＦＩＤを順次、安定して読み書きできる。
【０００６】
上記ＲＦＩＤの録再方法は、前記録再手段から発せられた電磁波を順次移動させる際に、前記束に対して前記録再手段を動かすことを特徴としている。
これにより、ＲＦＩＤが付設された基材の束が大きく、質量がある場合には、束を動かさなくても、録再手段を動かすことによって各ＲＦＩＤを読み書きできる。
【０００７】
また、上記ＲＦＩＤの録再方法は、前記録再手段から発せられた電磁波を順次移動させる際に、前記録再手段に対して前記束を動かすことを特徴としている。
これにより、録再手段を固定させておくことができるので、録再手段の周辺の機構が簡素になり設備的な信頼性が向上する。
【０００８】
さらに、上記ＲＦＩＤの録再方法は、前記束を構成する各基材に付設されたＲＦＩＤを、前記録再手段が覗き見る角度を変えて、前記情報の記録と再生を繰り返し行うことを特徴としている。
これにより、録再手段をある角度からＲＦＩＤを読書きしようとして、万が一読書き漏れが発生しても、録再手段の角度を変えることによって、読書きできる場合があるので、録再手段が覗き見る角度（読書きする角度）を変えて繰り返し読書きすることによってＲＦＩＤの録再確率が向上する。録再手段は、必要によっては、３つの角度に変えて繰り返し読書きすることによって、録再確率をさらに向上させることができる。
【発明の効果】
【０００９】
以上説明したように、本発明によれば、各基材に付設されたＲＦＩＤを簡便に、かつ確実に読書きする方法を提供できる。
【発明を実施するための最良の形態】
【００１０】
以下、本発明の基材に付設されたＲＦＩＤの録再方法の実施の形態について図面を用いて説明する。なお、この実施形態は、発明の趣旨をより良く理解するために具体的に説明するものであり、特に指定のない限り、本発明を限定するものではない。
【００１１】
図１は、本発明のＲＦＩＤの録再方法の第一の実施形態の一例を示す断面図である。
基材２１の端部にＲＦＩＤ３１が、基材２２の端部にＲＦＩＤ３２が、基材２３の端部にＲＦＩＤ３３が、基材２４の端部にＲＦＩＤ３４が付設され、各基材は、各ＲＦＩＤの少なくとも一部が覗き見られるように重ねられてなる束１０を形成し、この束１０に対して、録再手段４１が移動可能に配設されていて、電磁波５１を介して各ＲＦＩＤに対して情報の読書きが行われる。
【００１２】
基材２１のＲＦＩＤ３１に対して情報を読書きした後、録再手段４１は、図１に示すように矢印の方向に移動してＲＦＩＤ３２を覗き見る位置で電磁波５１を介してＲＦＩＤ３２に対して情報の読書きを行う。これを順次繰り返えすことによって、ＲＦＩＤ３３、ＲＦＩＤ３４に対しても情報の読書きが行われる。
【００１３】
ＲＦＩＤの少なくとも一部が覗き見られるとは、電磁波を利用することにより、読書き可能とならしめる状態に配置されていることを意味する。録再手段の方向から見て完全にＲＦＩＤが重なっていても、たとえ電磁波が減衰しても読書きするのに十分な程度の電磁波が達するならば覗き見られると定義するが、より好ましくは、基材を積み重ねたときに、図１のように、各ＲＦＩＤの少なくとも一部がずれていて、各ＲＦＩＤを読書きする際、他のＲＦＩＤに遮られることなく、情報を読書きするのに十分な電磁波が達するようにＲＦＩＤが位置をずらして配置されていることである。
【００１４】
このように、基材とともに各ＲＦＩＤの位置をずらす事によって、録再手段の読書き範囲内に入るＲＦＩＤの数を減らすとともに、重なりにより遮断されるエネルギーを減らし、情報を読み書きするのに十分な電磁波が達するようにする事ができる。
【００１５】
第一の実施の形態では、上述のように、各基材に付設されたＲＦＩＤが覗き見られるように積み重ねてなる束を用い、この束に対して、録再手段を順次移動させて、各基材のＲＦＩＤに格納された情報を順次読書きする方法である。
【００１６】
なお、図１は、４枚の基材からなる束を示しているが、束を構成する基材の枚数は４枚に限られることなく、何枚であっても良い。また、図１では、各基材のＲＦＩＤは基材中に埋設されているが、ＲＦＩＤの一部が表面に露出していても良いし、ＲＦＩＤ全体が露出するように基材の表面に貼付されていても良い。
【００１７】
第一の実施形態によれば、ＲＦＩＤが付設された基材の束が大きく、質量が大きい場合、束を動かさないで固定しておいて、録再手段を順次移動させることによって、各基材のＲＦＩＤを確実に、安定して読書きすることができる。
【００１８】
図２は、本発明のＲＦＩＤの録再方法の第二の実施形態の一例を示し、（ａ）は一番上の基材のＲＦＩＤを読書きする時の録再手段と束との位置関係を示し、（ｂ）は２番目の基材のＲＦＩＤを読書きするときの録再手段と束との位置関係を示す断面図である。
【００１９】
第二の実施の形態では、第一の実施形態と同様に、各ＲＦＩＤが覗き見られるように基材を積み重ねてなる束を用い、録再手段を固定しておき、録再手段に対して束を順次移動させることによって、各基材のＲＦＩＤに情報を順次読書きする録再方法である。すなわち、図２において、各ＲＦＩＤが覗き見られるように基材１２１、１２２、１２３、１２４を積み重ねてなる束１００の一番上の基材１２１のＲＦＩＤ１３２を読書きするときは、固定されている録再手段１４１に対して束１００を（ａ）の位置に持って来て読書きし、２番目の基材１２２のＲＦＩＤ１３２を読書きするときは、束１００を基材１枚分だけ左斜め上方に移動させて、（ｂ）のように２番目の基材１２２のＲＦＩＤ１３２が録再手段１４１の読書き範囲に来るようにして２番目の基材１２２のＲＦＩＤ１３２を読書きする。基材１２３、１２４のＲＦＩＤ１３３、１３４を読書きするときは、同様に束１００を左斜め上方に移動させて、読書きしようとする基材のＲＦＩＤを録再手段１４１の読書き範囲に持って来て読書きする。
【００２０】
第二の実施形態によれば、ＲＦＩＤを付設した基材の束１００が移動し易い場合は、録再手段１４１を固定して置き、束１００を移動しながら各基材のＲＦＩＤを録再手段１４１の読取範囲に持って来ることによって、各基材のＲＦＩＤを確実に、安定して読書きすることができ、これにより、録再手段１４１には移動機構を施す必要がなくなり、装置としては簡略化、低コスト化を図ることができる。
【００２１】
図３は、本発明のＲＦＩＤの録再方法の第三の実施形態の一例を示し、（ａ）はＲＦＩＤと録再手段のなす角度がα、（ｂ）はＲＦＩＤと録再手段のなす角度がβ、（ｃ）はＲＦＩＤと録再手段のなす角度がγの場合の断面図である。ここで、角度α、β、γの大小関係は、α＞β＞γである。
【００２２】
端部にＲＦＩＤが付設された基材の束が、一箇所に固定した録再手段からは全ての基材のＲＦＩＤを覗き見られないほど多数の基材が積み重ねられている場合であって、図３は、そのうちの途中の４枚の基材３２１、基材３２２、基材３２３、基材３２４と録再手段３４１との位置関係を示し、（ａ）は各ＲＦＩＤに対して録再手段３４１が角度αを保って移動しながら覗き見て読書きしている状態を、（ｂ）は各ＲＦＩＤに対して角度βを保って移動しながら覗き見て読書きしている状態を、（ｃ）は各ＲＦＩＤに対して角度γを保って移動しながら覗き見て読書きしている状態を示している。
【００２３】
例えば、角度αで読書きしたときに情報（００１、００３、００４）が読書きされ、角度βで読書きしたときに情報（００２、００４）が読書きされ、角度γで読書きしたときに情報（００３）が読書きされた場合、読書きされた全ての情報を名寄せすることによって、４枚の基材３２１、３２２、３２３、３２４の各ＲＦＩＤ３３１、３３２、３３３、３３４に読書きされた情報は、情報（００１、００２、００３、００４）であることが分かる。
【００２４】
上述のように、第三の実施形態によれば、積み重ねられた基材のＲＦＩＤを読書きしようとしたとき、読書き漏れが発生し易い場合、ＲＦＩＤに対する録再手段の覗き見る角度を、望ましくは、３通りに変えて繰り返し読書きすることによって、読書き漏れを防ぐことができる。
【産業上の利用可能性】
【００２５】
本発明のＲＦＩＤの録再方法は、ＲＦＩＤが付設されたドキュメント用紙だけでなく、有価証券や伝票、紙幣等、ＲＦＩＤが付設されているものにも適用できるＲＦＩＤの録再方法である。
【図面の簡単な説明】
【００２６】
【図１】本発明に係るＲＦＩＤの録再方法の第一の実施形態の一例を示す断面図である。
【図２】本発明のＲＦＩＤの録再方法の第二の実施形態の一例を示し、（ａ）は一番上の基材のＲＦＩＤを読書きする時の録再手段と束との位置関係を示し、（ｂ）は２番目の基材のＲＦＩＤを読書きするときの録再手段と束との位置関係を示す断面図である。
【図３】本発明のＲＦＩＤの録再方法の第三の実施形態の一例を示し、（ａ）はＲＦＩＤと録再手段のなす角度がα、（ｂ）はＲＦＩＤと録再手段のなす角度がβ、（ｃ）はＲＦＩＤと録再手段のなす角度がγの場合の断面図である
【図４】ＲＦＩＤを装着したバインダーを箱内に収納した様子を示す斜視図である。
【図５】書類にＲＦＩＤを貼付した例を示す図である。
【符号の説明】
【００２７】
１０、１００  束、２１、２２、２３、２４、１２１、１２２、１２３、１２４、３２１、３２２、３２３、３２４  基材、３１、３２、３３、３４、１３１、１３２、１３３、１３４、３３１、３３２、３３３、３３４  ＲＦＩＤ、４１、１４１、３４１  録再手段、５１、１５１、３５１  電磁波、α、β、γ  ＲＦＩＤと録再手段のなす角度。
【図１】
2005352856.tif 000003
【図２】
2005352856.tif 000004
【図３】
2005352856.tif 000005
【図４】
2005352856.tif 000006
【図５】
2005352856.tif 000007